(57)【要約】【課題】異なる温度の水を混合して、適温となった混合水を供給できる渦流ポンプを提供する。【解決手段】第１インペラ３の回転により、第１吸込口１２に吸い込まれた水８は、第１渦室流路５ａを通って第１吐出口１３から吐き出され、第２インペラ４の回転により、第２吸込口２１に水８よりも温度が高い温水１７が吸い込まれ、温水１７は第２渦室流路１４ａを通って第２吐出口２２から吐き出され、第１吐出口１３および第２吐出口２２を合流管２３に接続することにより、水８と温水１７とを混合した混合水を合流管２３から供給する渦流ポンプ。【選択図】図１
2018138765.tif 000002
【特許請求の範囲】
【請求項１】
回転軸を有する電動機と、
前記回転軸に接続された第１インペラおよび第２インペラと、
前記第１インペラの周囲に第１渦室流路を形成する第１ケーシングと、
前記第１インペラを覆うように前記第１ケーシングに取り付けられる第１ケーシングカバーと、
前記第２インペラの周囲に第２渦室流路を形成する第２ケーシングと、
前記第２インペラを覆うように前記第２ケーシングに取り付けられる第２ケーシングカバーとを備え、
前記第１ケーシングは、前記第１渦室流路に連通する第１吸込口および第１吐出口を有し、
前記第２ケーシングは、前記第２渦室流路に連通する第２吸込口および第２吐出口を有し、
前記第１インペラの回転により、前記第１吸込口に吸い込まれた水は、前記第１渦室流路を通って前記第１吐出口から吐き出され、
前記第２インペラの回転により、前記第２吸込口に前記水よりも温度が高い温水が吸い込まれ、前記温水は前記第２渦室流路を通って前記第２吐出口から吐き出され、
前記第１吐出口および前記第２吐出口を合流管に接続することにより、前記水と前記温水とを混合した混合水を前記合流管から供給することを特徴とする渦流ポンプ。
【請求項２】
前記第１吐出口に接続される第１調整弁を備え、
前記第１吐出口から吐き出される前記水の量を前記第１調整弁により調整することを特徴とする請求項１に記載の渦流ポンプ。
【請求項３】
前記第２吐出口に接続される第２調整弁を備え、
前記第２吐出口から吐き出される前記温水の量を前記第２調整弁により調整することを特徴とする請求項１に記載の渦流ポンプ。
【請求項４】
前記第１吐出口に接続される第１調整弁と、
前記第２吐出口に接続される第２調整弁とを備え、
前記第１吐出口から吐き出される前記水の量を前記第１調整弁により調整し、
前記第２吐出口から吐き出される前記温水の量を前記第２調整弁により調整することを特徴とする請求項１に記載の渦流ポンプ。
【請求項５】
前記第１ケーシングは、前記第２ケーシングよりも前記電動機側に設けられることを特徴とする請求項１に記載の渦流ポンプ。
【請求項６】
前記第１吐出口に接続される第１逆止弁と、
前記第２吐出口に接続される第２逆止弁とを備えることを特徴とする請求項１に記載の渦流ポンプ。
【発明の詳細な説明】
【技術分野】
【０００１】
本発明は、水の汲み上げに使用される渦流ポンプに関する。
【背景技術】
【０００２】
従来、この種のポンプは、実公昭６４−３８３６号公報（特許文献１）に示されている様に、電動機の駆動軸に接続されたインペラを回転させて、ケーシングの吸込口から水を吸込み吐出口から吐出させるものである。
【０００３】
以下、その構造について図を用いて説明する。
【０００４】
図１１に示す様に、特許文献１に記載の渦流ポンプは、電動機１０１と、インペラ１０２と、インペラ１０２を内包するケーシング１０３とで構成されている。
【０００５】
インペラ１０２は、電動機１０１の回転軸に取り付けられて、電動機１０１の駆動によって回転する。
【０００６】
ケーシング１０３は、汲み上げた水を吸込む吸込口（不図示）と吐き出すための吐出口１０８とを備える。
【０００７】
ケーシングカバー１１１はインペラ１０２を覆うようになっている。
【０００８】
ケーシング１０３の吸込口には、塩ビ管等のパイプを接続しパイプの端部が井戸等の水源へ下ろされる。一方、吐出口１０８には、貯水タンク、水栓等につながるパイプが接続され、水源から汲み上げた水を送り出す。
【０００９】
渦流ポンプは、インペラ１０２の回転により、吸込口から水を吸い込み、吐出口１０８から水を吐き出すことが出来る。
【先行技術文献】
【特許文献】
【００１０】
【特許文献１】実公昭６４−３８３６号公報
【発明の概要】
【発明が解決しようとする課題】
【００１１】
このような渦流ポンプは、渦流ポンプ１台で吸上げることができる水は１種類であり、吸い上げた水をそのままの温度で配水するのみであるため、渦流ポンプから供給される水の温度調整が困難であるという課題があった。
【００１２】
そこで本発明は、上記従来の課題を解決するものであり、異なる温度の水を混合できる渦流ポンプの提供を目的とする。
【課題を解決するための手段】
【００１３】
そして、この目的を達成するために、本発明の一態様に係る渦流ポンプは、回転軸を有する電動機と、前記回転軸に接続された第１インペラおよび第２インペラと、前記第１インペラの周囲に第１渦室流路を形成する第１ケーシングと、前記第１インペラを覆うように前記第１ケーシングに取り付けられる第１ケーシングカバーと、前記第２インペラの周囲に第２渦室流路を形成する第２ケーシングと、前記第２インペラを覆うように前記第２ケーシングに取り付けられる第２ケーシングカバーとを備え、前記第１ケーシングは、前記第１渦室流路に連通する第１吸込口および第１吐出口を有し、前記第２ケーシングは、前記第２渦室流路に連通する第２吸込口および第２吐出口を有し、前記第１インペラの回転により、前記第１吸込口に吸い込まれた水は、前記第１渦室流路を通って前記第１吐出口から吐き出され、前記第２インペラの回転により、前記第２吸込口に前記水よりも温度が高い温水が吸い込まれ、前記温水は前記第２渦室流路を通って前記第２吐出口から吐き出され、前記第１吐出口および前記第２吐出口を合流管に接続することにより、前記水と前記温水とを混合した混合水を前記合流管から供給する構成としたものであり、これにより所期の目的を達成するものである。
【発明の効果】
【００１４】
本発明によれば、異なる温度の水を混合できる渦流ポンプを提供できる。
【図面の簡単な説明】
【００１５】
【図１】本発明の実施の形態１の渦流ポンプの構造を示す斜視部分断面図
【図２】同第１ケーシング正面断面図
【図３】同第２ケーシング正面断面図
【図４】本発明の実施の形態２の渦流ポンプの構造を示す斜視図
【図５】第１調整弁を有する第１吐出部を示す断面図（（ａ）第１操作部の操作前を示す断面図、（ｂ）第１操作部の操作後を示す断面図）
【図６】本発明の実施の形態３の渦流ポンプの構造を示す斜視図
【図７】第２調整弁を有する第２吐出部を示す断面図（（ａ）第２操作部の操作後を示す断面図、（ｂ）第２操作部の操作後を示す断面図）
【図８】本発明の実施の形態４の渦流ポンプの構造を示す斜視図
【図９】本発明の実施の形態５の渦流ポンプの第２逆止弁閉塞時の吐出口を示す断面図
【図１０】同第１逆止弁閉塞時の吐出口を示す断面図
【図１１】従来の渦流ポンプを示す側面部分断面図
【発明を実施するための形態】
【００１６】
本発明の一態様に係る渦流ポンプは、回転軸を有する電動機と、前記回転軸に接続された第１インペラおよび第２インペラと、前記第１インペラの周囲に第１渦室流路を形成する第１ケーシングと、前記第１インペラを覆うように前記第１ケーシングに取り付けられる第１ケーシングカバーと、前記第２インペラの周囲に第２渦室流路を形成する第２ケーシングと、前記第２インペラを覆うように前記第２ケーシングに取り付けられる第２ケーシングカバーとを備え、前記第１ケーシングは、前記第１渦室流路に連通する第１吸込口および第１吐出口を有し、前記第２ケーシングは、前記第２渦室流路に連通する第２吸込口および第２吐出口を有し、前記第１インペラの回転により、前記第１吸込口に吸い込まれた水は、前記第１渦室流路を通って前記第１吐出口から吐き出され、前記第２インペラの回転により、前記第２吸込口に前記水よりも温度が高い温水が吸い込まれ、前記温水は前記第２渦室流路を通って前記第２吐出口から吐き出され、前記第１吐出口および前記第２吐出口を合流管に接続することにより、前記水と前記温水とを混合した混合水を前記合流管から供給する構成を有する。
【００１７】
これにより、異なる温度の水を混合して、適温となった混合水を供給することができる。
【００１８】
以下、本発明の実施の形態について図面を参照しながら説明する。
（実施の形態１）
図１に示すように、渦流ポンプは、電動機２と、第１インペラ３と、第２インペラ４と、第１ケーシング６と、第１ケーシングカバー７と、第２ケーシング１５と、第２ケーシングカバー１６とを備えている。
【００１９】
電動機２は回転軸１を有する。
【００２０】
第１インペラ３および第２インペラ４は回転軸１に接続されている。第１インペラ３は第２インペラ４よりも電動機２側に設けられていてもよい。
【００２１】
第１ケーシング６は、第１インペラ３の周囲に第１渦室流路５ａを形成している。第１ケーシング６は、第１吸込口１２および第１吐出口１３を有している。
【００２２】
第１ケーシングカバー７は、第１インペラ３を覆うように第１ケーシング６に取り付けられている。
【００２３】
第２ケーシング１５は、第２インペラ４の周囲に第２渦室流路１４ａを形成している。第２ケーシング１５は、第２吸込口２１および第２吐出口２２を有している。
【００２４】
第２ケーシングカバー１６は、第２インペラ４を覆うように第２ケーシング１５に取り付けられている。
【００２５】
第１吐出口１３および第２吐出口２２には合流管２３が接続される。合流管２３は合流管流出口２３ａを有する。
【００２６】
図２に示すように、回転軸１によって第１インペラ３が回転することにより、第１ケーシング６内に水８が供給され、第１渦室流路５ａに沿って水８による水流が発生する。なお、図中の矢印は水流を表している。
【００２７】
第１ケーシング６は、第１吸込部１０、第１渦室９、および第１吐出部１１を含む。第１吸込部１０は第１吸込口１２を有する。第１吐出部１１は第１吐出口１３を有する。
【００２８】
第１インペラ３は第１渦室９の中に配置される。
【００２９】
第１吸込部１０は、第１渦室９に対し、水流の上流側に設けられる。第１吸込部１０は第１吸込口１２を有する。
【００３０】
第１吐出部１１は、第１渦室９に対し、水流の下流側に設けられる。第１吐出部１１は第１吐出口１３を有する。
【００３１】
回転軸１に接続された第１インペラ３の回転により、第１吸込口１２から吸い込まれた水８は、第１渦室９を通り、第１吐出口１３から吐き出される。すなわち、第１吸込口１２から吸い込まれた水８は、第１吸込部流路５ｂ、第１渦室流路５ａ、および第１吐出部流路５ｃをこの順に通り、第１吐出口１３から吐き出される。その後、水８は、合流管２３の合流管第１流入口２３ｂへ流入する。
【００３２】
なお、第１流路５は、第１吸込部流路５ｂ、第１渦室流路５ａ、および第１吐出部流路５ｃを含む流路である。
【００３３】
図３に示すように、回転軸１によって第２インペラ４が回転することにより、第２ケーシング１５内に温水１７が供給され、第２渦室流路１４ａに沿って温水１７による水流が発生する。なお、図中の矢印は水流を表している。
【００３４】
第２ケーシング１５は、第２吸込部１９、第２渦室１８、および第２吐出部２０を含む。
第２吸込部１９は第２吸込口２１を有する。第２吐出部２０は第２吐出口２２を有する。
【００３５】
第２インペラ４は第２渦室１８の中に配置される。
【００３６】
第２吸込部１９は、第２渦室１８に対し、水流の上流側に設けられる。第２吸込部１９は第２吸込口２１を有する。
【００３７】
第２吐出部２０は、第２渦室１８に対し、水流の下流側に設けられる。第２吐出部２０は第２吐出口２２を有する。
【００３８】
回転軸１に接続された第２インペラ４の回転により、第２吸込口２１から吸い込まれた温水１７は、第２渦室１８を通り、第２吐出口２２から吐き出される。すなわち、第２吸込口２１から吸い込まれた温水１７は、第２吸込部流路１４ｂ、第２渦室流路１４ａ、および第２吐出部流路１４ｃをこの順に通り、第２吐出口２２から吐き出される。その後、温水１７は、合流管２３の合流管第２流入口２３ｃへ流入する。
【００３９】
なお、第２流路１４は、第２吸込部流路１４ｂ、第２渦室流路１４ａ、および第２吐出部流路１４ｃを含む流路である。
【００４０】
なお、水８の温度範囲は、例えば、０〜４０℃あるいは５〜２５℃である。
【００４１】
また、温水１７の温度範囲は、例えば、３０〜１００℃あるいは４０〜６０℃である。
【００４２】
ただし、第２ケーシング１５に供給される温水１７は、第１ケーシング６に供給される水８の温度よりも高い。
【００４３】
本実施形態の構成によれば、第１吐出口１３および第２吐出口２２を合流管２３に接続することにより、第１吐出口１３から吐き出される水８と第２吐出口２２から吐き出される温水１７とを合流管２３によって混合できる。
【００４４】
このため、渦流ポンプは、混合することにより適温となった混合水を合流管流出口２３ａから供給することができる。
【００４５】
また、図１に示すように、水８が供給される第１ケーシング６を第２ケーシング１５よりも電動機２側へ配する構成としてもよい。この構成により、電動機２の熱が第１ケーシング６および水８へ伝わり、第１ケーシング６内を流れる水８によってその熱を放出することができる。そして、電動機２の熱を効率よく放出することで、電動機２の高温化を抑制できる。この結果、電動機２を安全かつ効率よく駆動することが出来る。
（実施の形態２）
図４および図５において、図１〜図３と同様の構成要素については同一の符号を付し、その詳細な説明は省略する。
【００４６】
図４に示すように、渦流ポンプは、第１吐出口１３に第１調整弁２４を備えている。第１調整弁２４は、第１吐出口１３から吐き出される水８の量を調整するものである。
【００４７】
図５は、第１調整弁２４を有する第１吐出部１１を示す断面図（（ａ）第１操作部の操作前を示す断面図、（ｂ）第１操作部の操作後を示す断面図）である。図において、破線部は渦流ポンプの外郭側に配する部分を示す。
【００４８】
図５に示すように、第１調整弁２４は、第１開閉部２５および第１操作部２６を含む。
【００４９】
第１開閉部２５は、第１吐出口１３の中に設けられる。
【００５０】
第１操作部２６は、渦流ポンプの外郭側に設けられる。すなわち、第１操作部２６は、第１吐出部１１の外側に設けられる。
【００５１】
第１操作部２６を操作することで第１開閉部２５が回転し、第１吐出口１３内部の第１通水範囲２７が変化する。例えば、図５（ｂ）は、図５（ａ）に対し、第１操作部２６に第１操作量２８を加えたものであり、第１通水範囲２７がより広くなっている。第１通水範囲２７が狭いほど、第１吐出口１３から供給される水８の供給量は少なく、第１通水範囲２７が広いほど、第１吐出口１３から供給される水８の供給量は多くなる。第１操作量２８を調整することにより、第１吐出口１３から供給される水８の供給量を調整できる。
【００５２】
このような構成によれば、第１吐出口１３において第１調整弁２４によって供給量が調整された水８と、第２吐出口２２から吐き出された温水１７とが、合流管２３によって混合される。このため、渦流ポンプは、合流管２３の合流管流出口２３ａから供給される混合水の温度を第１調整弁２４によって調整することが出来る。
（実施の形態３）
図６および図７において、図１〜図５と同様の構成要素については同一の符号を付し、その詳細な説明は省略する。
【００５３】
図６に示すように、渦流ポンプは、第２吐出口２２に第２調整弁２９を備えている。第２調整弁２９は、第２吐出口２２から吐き出される温水１７の量を調整するものである。
【００５４】
図７は、第２調整弁２９を有する第２吐出部２０を示す断面図（（ａ）第２操作部の操作後を示す断面図、（ｂ）第２操作部の操作後を示す断面図）である。図において、破線部は渦流ポンプの外郭側に配する部分を示す。
【００５５】
図７に示すように、第２調整弁２９は、第２開閉部３０および第２操作部３１を含む。
【００５６】
第２開閉部３０は、第２吐出口２２の中に設けられる。
【００５７】
第２操作部３１は、渦流ポンプの外郭側に設けられる。すなわち、第２操作部３１は、第２吐出部２０の外側に設けられる。
【００５８】
第２調整弁２９は第２操作部３１を操作することで第２開閉部３０が回転し、第２吐出口２２内部の第２通水範囲３２が変化する。例えば、図７（ｂ）は図７（ａ）に対し、第２操作部３１に第２操作量３３を加えたものであり、第２通水範囲３２がより広くなっている。第２通水範囲３２が狭いほど、第２吐出口２２から供給される温水１７の供給量は少なく、第２通水範囲３２が広いほど、第２吐出口２２から供給される温水１７の供給量は多くなる。第２操作量３３を調整することにより、第２吐出口２２から供給される温水１７の供給量を調整できる。
【００５９】
このような構成によれば、第２吐出口２２において第２調整弁２９によって供給量が調整された温水１７と、第１吐出口１３から供給された水８とが、合流管２３によって混合される。このため、渦流ポンプは、合流管２３の合流管流出口２３ａから供給される混合水の温度を第２調整弁２９によって調整することが出来る。
（実施の形態４）
図８において、図１〜図７と同様の構成要素については同一の符号を付し、その詳細な説明は省略する。
【００６０】
図８に示すように、渦流ポンプは、第１吐出口１３に第１調整弁２４と、第２吐出口２２に第２調整弁２９とを備えている。
【００６１】
このような構成によれば、第１吐出口１３において第１調整弁２４によって供給量が調整された水８と、第２吐出口２２において第２調整弁２９によって供給量が調整された温水１７が、合流管２３によって混合される。このため、渦流ポンプは、合流管２３の合流管流出口２３ａから供給される混合水の温度を第１調整弁２４および第２調整弁２９によって調整することが出来る。
（実施の形態５）
図９および図１０において、図１〜図８と同様の構成要素については同一の符号を付し、その詳細な説明は省略する。
【００６２】
図９および図１０に示すように、渦流ポンプは、第１吐出口１３に第１逆止弁３４と、第２吐出口２２に第２逆止弁３５とを備えている。逆止弁（逆流防止弁）とは、気体用や液体用の配管に取り付けておき、流体の背圧によって弁体が逆流を防止する形で作動する構造にした弁である。
【００６３】
図９は、一例として、渇水等に起因して第２吸込口２１及び第２ケーシング１５へ温水１７が供給されないときを表している。
【００６４】
このとき、第１吐出口１３からの水８が合流管第２流入口２３ｃおよび第２吐出口２２へ移動しても第２逆止弁３５が閉じることによって、渇水状態の第２ケーシング１５内への逆流は抑制される。この結果、水８のみを合流管２３の合流管流出口２３ａから供給することができる。
【００６５】
温水１７が供給されないときに、第２逆止弁３５を備えていないと、水８は、合流管第２流入口２３ｃおよび第２吐出口２２を介して第２ケーシング１５内へ逆流するため、水８が合流管２３から配水不可、または配水量が大きく減少する可能性がある。
【００６６】
図１０は、一例として、渇水等に起因して第１吸込口１２及び第１ケーシング６へ水８が供給されないときを表している。
【００６７】
このとき、第２吐出口２２からの温水１７が合流管第１流入口２３ｂおよび第１吐出口１３へ移動しても第１逆止弁３４が閉じることによって、渇水状態の第１ケーシング６内への逆流は抑制される。この結果、温水１７のみを合流管２３の合流管流出口２３ａから供給することができる。
【００６８】
水８が供給されないときに、第１逆止弁３４を備えていないと、温水１７は、合流管第１流入口２３ｂおよび第１吐出口１３を介して第１ケーシング６内へ逆流するため、温水１７が合流管２３から配水不可、または配水量が大きく減少する可能性がある。
【００６９】
このような構成によれば、第１逆止弁３４及び第２逆止弁３５を設けることで、水８または温水１７が供給されない場合であっても、逆流を抑制することができる。この結果、水８および温水１７の一つしか供給されない場合であっても、水８または温水１７を安定して合流管流出口２３ａから供給することができる。
【００７０】
なお、渇水の要因としては、水８は水源である井戸水の枯渇等が考えられ、温水１７は供給元である温水器等からの供給停止等が考えられる。また、水８、温水１７を第１吸込口１２、第２吸込口２１に各々供給するための配管の破損等も考えられる。ただし、水８および温水１７の一つしか供給されない場合は例外であるため、第１逆止弁３４及び第２逆止弁３５を設けなくても、通常動作時は支障はない。
【００７１】
以下、実施の形態について補足する。
【００７２】
本発明の一態様に係る渦流ポンプは、回転軸１を有する電動機２と、回転軸１に接続された第１インペラ３および第２インペラ４と、第１インペラ３の周囲に第１渦室流路５ａを形成する第１ケーシング６と、第１インペラ３を覆うように第１ケーシング６に取り付けられる第１ケーシングカバー７と、第２インペラ４の周囲に第２渦室流路１４ａを形成する第２ケーシング１５と、第２インペラ４を覆うように第２ケーシング１５に取り付けられる第２ケーシングカバー１６とを備え、第１ケーシング６は、第１渦室流路５ａに連通する第１吸込口１２および第１吐出口１３を有し、第２ケーシング１５は、第２渦室流路１４ａに連通する第２吸込口２１および第２吐出口２２を有し、第１インペラ３の回転により、第１吸込口１２に吸い込まれた水８は、第１渦室流路５ａを通って第１吐出口１３から吐き出され、第２インペラ４の回転により、第２吸込口２１に水８よりも温度が高い温水１７が吸い込まれ、温水１７は第２渦室流路１４ａを通って第２吐出口２２から吐き出され、第１吐出口１３および第２吐出口２２を合流管２３に接続することにより、水８と温水１７とを混合した混合水を合流管２３から供給するという構成を有する。
【００７３】
この構成により、異なる温度の水を混合して、適温となった混合水を供給できる。
【００７４】
また、第１吐出口１３に接続される第１調整弁２４を備え、第１吐出口１３から吐き出される水の量を第１調整弁２４により調整するという構成にしてもよい。
【００７５】
この構成により、第１調整弁２４によって水８の量を調整することで、水８と温水１７を混合した混合水の温度を調整し、適温となった混合水を供給できる。
【００７６】
また、第２吐出口２２に接続される第２調整弁２９を備え、第２吐出口２２から吐き出される温水１７の量を第２調整弁２９により調整するという構成にしてもよい。
【００７７】
この構成により、第２調整弁２９によって温水１７の量を調整することで、水８と温水１７とを混合した混合水の温度を調整し、適温となった混合水を供給できる。
【００７８】
また、第１吐出口１３に接続される第１調整弁２４と、第２吐出口２２に接続される第２調整弁２９とを備え、第１吐出口１３から吐き出される水８の量を第１調整弁２４により調整し、第２吐出口２２から吐き出される温水１７の量を第２調整弁２９により調整するという構成にしてもよい。
【００７９】
この構成により、第１調整弁２４によって水８の量を調整し、かつ、第２調整弁２９によって温水１７の量を調整することで、水８と温水１７を混合した混合水の温度を調整し、適温となった混合水を供給できる。
【００８０】
また、第１ケーシング６は、第２ケーシング１５よりも電動機２側に設けられるという構成にしてもよい。
【００８１】
この構成により、電動機２の熱が第１ケーシング６へ伝わり、第１ケーシング６内に通水される水８によってその熱が放熱される。このため、電動機２の熱を効率よく放熱し、電動機２の高温化を抑制できる。この結果、電動機２を安全かつ効率よく駆動できる。
【００８２】
また、第１吐出口１３に接続される第１逆止弁３４と、第２吐出口２２に接続される第２逆止弁３５とを備えるという構成にしてもよい。
【００８３】
この構成により、水８または温水１７のどちらかが供給されない場合であっても、第１吐出口１３から第２吐出口２２への逆流を抑制し、或いは、第２吐出口２２から第１吐出口１３への逆流を抑制できる。この結果、水８または温水１７が所定の水量で安定して供給できる。
【００８４】
また、渦流ポンプは、ウエスコ型ポンプまたはカスケードポンプとも称される。
【００８５】
以上、本発明に係る渦流ポンプについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８６】
本発明に係る渦流ポンプは、水と温水を混合して供給することで、適温となった混合水を供給できる渦流ポンプ等として有用である。
【符号の説明】
【００８７】
１    回転軸
２    電動機
３    第１インペラ
４    第２インペラ
５    第１流路
５ａ    第１渦室流路
５ｂ    第１吸込部流路
５ｃ    第１吐出部流路
６    第１ケーシング
７    第１ケーシングカバー
８    水
９    第１渦室
１０    第１吸込部
１１    第１吐出部
１２    第１吸込口
１３    第１吐出口
１４    第２流路
１４ａ    第２渦室流路
１４ｂ    第２吸込部流路
１４ｃ    第２吐出部流路
１５    第２ケーシング
１６    第２ケーシングカバー
１７    温水
１８    第２渦室
１９    第２吸込部
２０    第２吐出部
２１    第２吸込口
２２    第２吐出口
２３    合流管
２３ａ    合流管流出口
２３ｂ    合流管第１流入口
２３ｃ    合流管第２流入口
２４    第１調整弁
２５    第１開閉部
２６    第１操作部
２７    第１通水範囲
２８    第１操作量
２９    第２調整弁
３０    第２開閉部
３１    第２操作部
３２    第２通水範囲
３３    第２操作量
３４    第１逆止弁
３５    第２逆止弁
【図１】
2018138765.tif 000003
【図２】
2018138765.tif 000004
【図３】
2018138765.tif 000005
【図４】
2018138765.tif 000006
【図５】
2018138765.tif 000007
【図６】
2018138765.tif 000008
【図７】
2018138765.tif 000009
【図８】
2018138765.tif 000010
【図９】
2018138765.tif 000011
【図１０】
2018138765.tif 000012
【図１１】
2018138765.tif 000013